(57)【特許請求の範囲】
【請求項１】
生体部位に装着して生体部位の脈波情報を抽出する脈波情報抽出手段と、抽出された脈波情報に基づいて血行動態を測定する測定手段と、その測定結果を表示する表示手段とを備える電子血圧計において、
前記生体部位への装着部又はその近傍に、当該血圧計を心臓とほぼ同じ高さで支持する支持手段を設け、この支持手段は衣服の胸ポケットに引っ掛ける引っ掛け具であることを特徴とする電子血圧計。
【請求項２】
生体部位に装着して生体部位の脈波情報を抽出する脈波情報抽出手段と、抽出された脈波情報に基づいて血行動態を測定する測定手段と、その測定結果を表示する表示手段とを備える電子血圧計において、
前記生体部位への装着部又はその近傍に、当該血圧計を心臓とほぼ同じ高さで支持する支持手段を設け、この支持手段は衣服の胸ポケットを挟持する挟持具であることを特徴とする電子血圧計。
【請求項３】
前記支持手段は、衣服の前身頃に対して平行な平面上を回転可能であることを特徴とする請求項１又は請求項２記載の電子血圧計。
【発明の詳細な説明】
【０００１】
【発明の属する技術分野】
本発明は、電子血圧計に関し、特に測定時に血圧計を心臓と同じ高さで簡単に支持することのできる電子血圧計に関する。
【０００２】
【従来の技術】
一般的に血圧計は、生体部位に巻付けるカフと、このカフに一体に又は着脱可能に取付けられた本体とからなる。より正確な血圧測定を行うには、生体部位に巻付けたカフを心臓と同じ高さにして測定する必要がある。
【０００３】
【発明が解決しようとする課題】
ところで、生体部位として手首や指で測定する電子血圧計は、一般にカフと本体が一体になっており、手首や指のような自由に動き得る部位にカフを装着するものである。
【０００４】
しかしながら、手首用や指用の電子血圧計では、姿勢が楽なことなどから、血圧計（カフ）を装着した手首や指を心臓よりも下げた状態（腕を下げた状態）で測定を行い易く、測定者が余程注意を払うとき以外は、血圧計を心臓と同じ高さにして測定することは余りなく、正確な血圧を測定できないことが多い。
【０００５】
従って、本発明は、そのような問題点に着目してなされたもので、正確な血圧を測定し得る電子血圧計を提供することを目的とする。
【０００６】
【課題を解決するための手段】
前記目的を達成するために、請求項１記載の電子血圧計は、生体部位に装着して生体部位の脈波情報を抽出する脈波情報抽出手段と、抽出された脈波情報に基づいて血行動態を測定する測定手段と、その測定結果を表示する表示手段とを備えるものにおいて、前記生体部位への装着部又はその近傍に、当該血圧計を心臓とほぼ同じ高さで支持する支持手段を設け、この支持手段は衣服の胸ポケットに引っ掛ける引っ掛け具（例えばフック）であることを特徴とする。
【０００７】
また、請求項２記載の電子血圧計は、生体部位に装着して生体部位の脈波情報を抽出する脈波情報抽出手段と、抽出された脈波情報に基づいて血行動態を測定する測定手段と、その測定結果を表示する表示手段とを備えるものにおいて、前記生体部位への装着部又はその近傍に、当該血圧計を心臓とほぼ同じ高さで支持する支持手段を設け、この支持手段は衣服の胸ポケットを挟持する挟持具（例えばクリップ）であることを特徴とする。
【０００８】
これらの電子血圧計では、支持手段により血圧計が心臓とほぼ同じ高さで支持されるので、血圧測定のたびに血圧計を最適な高さに合わすことができ、正確な血圧測定を行うことができる。
また、支持手段は、衣服の前身頃に対して平行な平面上を回転可能であれば、血圧計が胸ポケットに対して斜めになっていても、胸ポケットに引っ掛け具を引っ掛けたり、挟持具で胸ポケットを挟んだりするのが容易となるだけでなく、血圧測定に際して腕をより楽な姿勢にすることができる。
【０００９】
なお、本発明において、測定手段により測定される血行動態とは、血圧又は血管状態を指す。
【００１０】
【発明の実施の形態】
以下、本発明を実施の形態に基づいて説明する。
【００１１】
その一実施形態に係る電子血圧計の斜視図を図１に示す。この電子血圧計は、手首で血圧を測定するもので、手首に装着する装着部（カフ）１と、この装着部１に一体に又は着脱可能に取付けられた本体２とからなる。装着部１は、空気の出入による膨張・収縮する空気袋と、形状保持用のカーラと、生体部位の脈波情報を抽出する脈波センサとを有する。本体２は、血圧値や測定異常等を表示する表示部３と、測定開始等を指示する操作部４とを有する。
【００１２】
この電子血圧計の特徴は、本体２の側面に支持手段として引っ掛け具１０が設けられている点である。引っ掛け具１０は、単に固定されているだけでもよいが、例えば図２〔本体のみの側面図（ａ）、（ａ）のＸ−Ｘ線における断面図（ｂ）〕に示すように、本体２の側面に対して平行な平面上を回転可能としてもよい。この場合の回転機構は、例えば引っ掛け具１０の中央部に設けた支軸１０ａを本体２の側面に設けた取付部２ａに回転可能に取付けたものであり、支軸１０ａを支点として引っ掛け具１０が回転する。
【００１３】
このような回転可能な引っ掛け具１０を有する電子血圧計では、血圧測定に際しては図３（正面図）及び図４（図３のＹ−Ｙ線における断面図）に示すように、装着部１を左腕の手首に装着した上で、本体２の引っ掛け具１０を衣服（上着、Ｙシャツ等）２０の胸ポケット２１に引っ掛ける。このとき、引っ掛け具１０は回転可能であるため、腕の軸方向と胸ポケット２１の上縁とを平行にしなくてもよく、引っ掛け具１０を胸ポケット２１に簡単に引っ掛けることができるだけでなく、楽な姿勢を取ることができる。
【００１４】
胸ポケット２１は一般に心臓とほぼ同じ高さにあるので、手首に装着した血圧計（カフ１）を胸ポケット２１の高さで支持すれば、自ずと血圧計を心臓とほぼ同じ高さに設定することができる。従って、正確な血圧を測定できる。しかも、血圧測定のたびに引っ掛け具１０を胸ポケット２１に引っ掛ければよいので、毎回確実に正確な血圧を測定できることになる。
【００１５】
上記実施形態では、支持手段として引っ掛け具１０を示したが、別態様の電子血圧計を図５に示す。図５の電子血圧計では、本体２の側面に突起１１が設けられており、この突起１１の別部品として図６の（ｂ）に示すようなネックレス３０が用意される。ネックレス３０はリング３１を有し、このネックレス３０を首に掛けた状態〔図６の（ａ）〕で、リング３１が胸ポケット２１とほぼ同じ高さに位置するように、ネックレス３０の長さを調節しておく。ここでは、突起１１とネックレス３０で支持手段が構成される。但し、突起１１は反対側（対向側）の側面に設けてもよい。この場合、血圧測定時には、本体２の突起１１をネックレス３０のリング３１に引っ掛ければよく、血圧計が胸ポケット２１とほぼ同じ高さで支持されるので、同様に正確な血圧を測定できる。
【００１６】
また、突起１１の代わりに上記実施形態で記した引っ掛け具１０を設けて、引っ掛け具１０とネックレス３０のリング３１とで支持手段を構成してもよい。なお、ネックレス３０にはリング３１は必須構成ではなく、心臓の高さとほぼ同じ高さで支持できるようネックレス３０に突起１１或いは引っ掛け具１０を直接引っ掛けて支持するようにすれば、より安価な支持手段が提供できる。
【００１７】
この他、図面には示していないが、上記以外の支持手段として、挟持具（クリップ）を用いてもよい。この場合は、挟持具で胸ポケット２１の上縁を挟めばよい。
【００１８】
【発明の効果】
以上説明したように、本発明の電子血圧計によれば、支持手段により血圧計が心臓とほぼ同じ高さで支持されるので、血圧測定のたびに血圧計を最適な高さに合わすことができ、正確な血圧測定を行うことができる。
【図面の簡単な説明】
【図１】一実施形態に係る電子血圧計の斜視図である。
【図２】図１の電子血圧計の本体のみの側面図（ａ）、及び（ａ）のＸ−Ｘ線における断面図（ｂ）である。
【図３】図１の電子血圧計の本体の引っ掛け具を衣服の胸ポケットに引っ掛けた状態の正面図である。
【図４】図３のＹ−Ｙ線における断面図である。
【図５】別実施形態に係る電子血圧計の斜視図である。
【図６】図５の電子血圧計を衣服の胸ポケットと同じ高さで支持するのに使用するネックレスを首に掛けた状態の正面図（ａ）、及びそのネックレスを示す図（ｂ）である。
【符号の説明】
１      装着部（カフ）
２      本体
３      表示部
４      操作部
１０    引っ掛け具（支持手段）
１１    突起（支持手段）
２０    衣服
２１    胸ポケット
３０    ネックレス（支持手段）
３１    リング
【図１】
0003714152.tif 000002
【図２】
0003714152.tif 000003
【図３】
0003714152.tif 000004
【図４】
0003714152.tif 000005
【図５】
0003714152.tif 000006
【図６】
0003714152.tif 000007